(57)【要約】【課題】ファクシミリ通信を確実に行えるようにすること。【解決手段】呼出検知部７は、ファクシミリ通信の開始時に送信される呼出信号を検知し、その旨を電源制御部２６に通知する。その通知により、電源制御部２６は、電力供給を停止していた場合、電力供給を再開する。それにより、ファクシミリ通信部２は、ファクシミリ通信が可能な通常状態に復帰し、電源制御部３４に電力供給の再開を指示し、画像処理部３が省エネルギー状態に移行していれば、通常状態に復帰させる。その一方、ファクシミリ通信部２のＣＰＵ２３は、モデム２２に指示して、呼出信号の応答を送信させ、少なくとも画像処理部３が通常状態に復帰するまでの間、その応答によって送信される画像データをメモリ２５に保存する。【選択図】図１
2017169056.tif 000002
【特許請求の範囲】
【請求項１】
画像形成出力が実行可能な通常状態、及び前記通常状態より消費電力量が低い１つ以上の低消費電力状態に遷移が可能な画像形成部を搭載した画像形成装置の制御装置であって、
電話回線網からの呼出信号を検知する呼出検知部と、
前記電話回線網を介した通信が可能であると共に、該通信が可能な第１の状態、及び前記第１の状態より消費電力量が低い１つ以上の第２の状態に遷移が可能な通信部と、
前記通信部が前記第２の状態時に前記呼出検知部が前記呼出信号を検知した場合に、前記通信部を前記第１の状態に復帰させる第１の状態遷移部と、
前記画像形成部が前記低消費電力状態時に前記呼出検知部が前記呼出信号を検知した場合に、前記画像形成部を前記通常状態に復帰させる第２の状態遷移部と、
前記呼出信号を前記呼出検知部が検知した後、前記第１の状態に復帰して前記通信部が前記呼出信号の応答を送信することにより受信される画像データを保存する保存部と、を備えることを特徴とする画像形成装置の制御装置。
【請求項２】
特定の周波数帯域の信号を通過させるフィルタ部、を更に備え、
前記電話回線網からの前記呼出信号は、前記フィルタ部を介して前記呼出検知部に入力させることを特徴とする請求項１に記載の画像形成装置の制御装置。
【請求項３】
前記第２の状態遷移部は、前記呼出検知部による検知結果に従って、前記画像形成処理部を前記通常状態に復帰させることを特徴とする請求項１、または２に記載の画像形成装置の制御装置。
【請求項４】
前記保存部は、不揮発性の記憶部を有し、前記記憶部に前記画像データを保存することを特徴とする請求項１〜３の何れか１項に記載の画像形成装置の制御装置。
【請求項５】
前記記憶部は、前記画像形成装置に接続された外部記憶装置であることを特徴とする請求項４に記載の画像形成装置の制御装置。
【請求項６】
前記通信部に電力を供給する電源として、商用電源を用いた電力供給装置、及びバッテリーを有することを特徴とする請求項１に記載の画像形成装置の制御装置。
【請求項７】
請求項１〜６の何れか１項に記載の画像形成装置の制御装置を備えることを特徴とする画像形成装置。
【請求項８】
画像形成出力が実行可能な通常状態、及び前記通常状態より消費電力量が低い１つ以上の低消費電力状態に遷移が可能な画像形成部を搭載した画像形成装置の制御方法であって、
前記画像形成装置は、
電話回線網からの呼出信号を検知する呼出検知部と、
前記電話回線網を介した通信が可能であると共に、該通信が可能な第１の状態、及び前記第１の状態より消費電力量が低い１つ以上の第２の状態に遷移が可能な通信部と、
を備え、
前記通信部が前記第２の状態時に前記呼出検知部が前記呼出信号を検知した場合に、前記通信部を前記第１の状態に復帰させ、
前記画像形成部が前記低消費電力状態時に前記呼出検知部が前記呼出信号を検知した場合に、前記画像形成部を前記通常状態に復帰させ、
前記呼出信号を前記呼出検知部が検知した後、前記第１の状態に復帰して前記通信部が前記呼出信号の応答を送信することにより受信される画像データを保存することを特徴とする画像形成装置の制御方法。
【請求項９】
画像形成出力が実行可能な通常状態、及び前記通常状態より消費電力量が低い１つ以上の低消費電力状態に遷移が可能な画像形成部を搭載した画像形成装置の制御プログラムであって、
前記画像形成装置は、
電話回線網からの呼出信号を検知する呼出検知部と、
前記電話回線網を介した通信が可能であると共に、該通信が可能な第１の状態、及び前記第１の状態より消費電力量が低い１つ以上の第２の状態に遷移が可能な通信部と、
を備え、
前記画像形成装置を制御する情報処理装置に、
前記通信部が前記第２の状態時に前記呼出検知部が前記呼出信号を検知した場合に、前記通信部を前記第１の状態に復帰させるステップと、
前記画像形成部が前記低消費電力状態時に前記呼出検知部が前記呼出信号を検知した場合に、前記画像形成部を前記通常状態に復帰させるステップと、
前記呼出信号を前記呼出検知部が検知した後、前記第１の状態に復帰して前記通信部が前記呼出信号の応答を送信することにより受信される画像データを保存するステップと、
を実行させることを特徴とする画像形成装置の制御プログラム。
【発明の詳細な説明】
【技術分野】
【０００１】
本発明は、画像形成装置の制御装置、画像形成装置、画像形成装置の制御方法、画像形成装置の制御プログラムに関する。
【背景技術】
【０００２】
近年、電子機器では、省エネルギー化の取り組みが盛んに行われている。電子機器には、複数の機能を搭載されているものが多い。このことから、電子機器では、機能別に消費電力量を管理して、状況に応じて消費電力量を適切に抑制することが行われている。
【０００３】
電子機器である画像形成装置のなかには、例えば記録媒体上に画像形成を行うプリンタ機能に加え、スキャン機能、及びファクシミリ機能、等の複数の機能を搭載しているものも多い。そのような画像形成装置では、一定時間、使用されない機能を通常状態から省電力状態に遷移させることにより、使用状況に応じて、全体の消費電力量を適切に抑制するようになっている。
【０００４】
ファクシミリ機能を搭載した画像形成装置では、ファクシミリ通信を確実に行う必要がある。ファクシミリ通信には、着呼応答に関する時間の規定が設けられており、送信（発呼）側装置と受信（着呼）側装置間の回線は、受信側装置が呼出信号を受信してから一定時間が経過するまでに確立させなければならない。そのために、受信側装置は、呼出信号を受信してから一定時間が経過する前にその応答を送信しなければならない。その応答を一定時間が経過する前に受信側装置が送信しなかった場合、送信側装置は回線を切断させることから、ファクシミリ通信が終了する。
【０００５】
画像形成装置に搭載されるファクシミリ通信機能は、通常、省エネルギー状態（低消費電力状態）からファクシミリ通信が可能な通常状態への移行は比較的に迅速に行うことができる。しかし、画像形成装置に搭載されるプリンタ機能には、省エネルギー状態から通常状態への移行に比較的に長い時間を要するものがある。
【０００６】
ファクシミリ通信機能が省エネルギー状態に移行するのは、多くの場合、受信を待つ待機状態時である。その待機状態時、ファクシミリ通信機能と共に、プリンタ機能も省エネルギー状態に移行している場合も多い。
【０００７】
ファクシミリ通信機能により受信した画像データは、記録媒体上に出力する必要がある。記録媒体上への画像データの出力は、プリンタ機能が通常状態に移行していなければ行うことはできない。このこともあり、ファクシミリ通信機能を搭載した画像形成装置では、ファクシミリ通信機能、及びプリンタ機能が共に通常状態に移行（復帰）した後、ファクシミリ通信を行うようになっていた。そのため、プリンタ機能の通常状態への移行に時間がかかり、ファクシミリ通信機能が呼出信号への応答を一定時間が経過する前に送信できず、ファクシミリ通信を正常に行えないことが高頻度で発生していた。
【０００８】
省エネルギー状態から通常状態への移行にプリンタ機能は比較的に長い時間を要する。このことから、従来の画像形成装置のなかには、ファクシミリ通信機能が通常状態に移行する前に、プリンタ機能の通常状態への移行を開始させるものがある（特許文献１参照）。
【発明の概要】
【発明が解決しようとする課題】
【０００９】
プリンタ機能の通常状態への移行開始を早めることにより、呼出信号の受信からそのプリンタ機能が通常状態に移行するまでの時間はより短くなる。しかし、プリンタ機能の通常状態への移行に要する時間によっては、ファクシミリ通信機能が呼出信号への応答を一定時間が経過する前に送信できない場合がある。このことから、ファクシミリ通信を必ずしも行えないという問題がある。
【００１０】
本発明は、このような課題を解決するためになされたものであり、ファクシミリ通信を確実に行えるようにすることを目的とする。
【課題を解決するための手段】
【００１１】
上記課題を解決するために、本発明の一態様は、画像形成出力が実行可能な通常状態、及び前記通常状態より消費電力量が低い１つ以上の低消費電力状態に遷移が可能な画像形成部を搭載した画像形成装置の制御装置であって、電話回線網からの呼出信号を検知する呼出検知部と、前記電話回線網を介した通信が可能であると共に、該通信が可能な第１の状態、及び前記第１の状態より消費電力量が低い１つ以上の第２の状態に遷移が可能な通信部と、前記通信部が前記第２の状態時に前記呼出検知部が前記呼出信号を検知した場合に、前記通信部を前記第１の状態に復帰させる第１の状態遷移部と、前記画像形成部が前記低消費電力状態時に前記呼出検知部が前記呼出信号を検知した場合に、前記画像形成部を前記通常状態に復帰させる第２の状態遷移部と、前記呼出信号を前記呼出検知部が検知した後、前記第１の状態に復帰して前記通信部が前記呼出信号の応答を送信することにより受信される画像データを保存する保存部と、を備えることを特徴とする。
【発明の効果】
【００１２】
本発明によれば、ファクシミリ通信を確実に行うことができる。
【図面の簡単な説明】
【００１３】
【図１】本実施形態による画像形成装置のハードウェア構成例を説明する図である。
【図２】ファクシミリ通信部、及び画像処理部が共に省エネルギー状態に移行していた状況時に、呼出信号の受信によるファクシミリ通信部、及び画像処理部の動作の流れを示すフローチャートである。
【図３】呼出判定処理を示すフローチャートである。
【図４】受信処理を示すフローチャートである。
【図５】第１の変形例による画像形成装置のハードウェア構成例を説明する図である。
【図６】ファクシミリ通信部、及び画像処理部が共に省エネルギー状態に移行していた状況時に、呼出信号の受信によるファクシミリ通信部、及び画像処理部の第１の変形例における動作の流れを示すフローチャートである。
【図７】第２の変形例による画像形成装置のハードウェア構成例を説明する図である。
【発明を実施するための形態】
【００１４】
以下、図面を参照して、本発明の実施形態を詳細に説明する。図１は、本実施形態による画像形成装置のハードウェア構成例を説明する図である。
【００１５】
本実施形態による画像形成装置１は、ファクシミリ装置として動作可能な電子機器である。この図１に示すように、画像形成装置１は、ファクシミリ通信部２、画像処理部３、操作表示部４、プリンタ部５、スキャナ部６、及び呼出検知部７を備えている。
【００１６】
ファクシミリ通信部（ファクシミリ通信機能）２は、電話回線網を介して画像データ（以降「ＦＡＸデータ」とも表記）を送受信する構成要素であり、電話回線網の回線と接続されている。そのファクシミリ通信部２は、図１に示すように、ＳｉＤＡＡ（Ｓｉｌｉｃｏｎ  Ｄｉｒｅｃｔ  Ａｃｃｅｓｓ  Ａｒｒａｎｇｅｍｅｎｔ）２１、モデム２２、ＣＰＵ（Ｃｅｎｔｒａｌ  Ｐｒｏｃｅｓｓｉｎｇ  Ｕｎｉｔ）２３、ＲＯＭ（Ｒｅａｄ  Ｏｎｌｙ  Ｍｅｍｏｒｙ）２４、メモリ２５、及び電源制御部２６を備えている。
【００１７】
ＳｉＤＡＡ２１は、主に、ＡＤ（Ａｎａｌｏｇ−ｔｏ−Ｄｉｇｉｔａｌ）／ＤＡ（Ｄｉｇｉｔａｌ−ｔｏ−Ａｎａｌｏｇ）変換、オフフック制御、及びリンギング検出を行うデバイスである。モデム２２は、変調、或いは復調を行う変復調装置である。
【００１８】
ＣＰＵ２３は、ＲＯＭ２４に格納されているファームウェア２４ａを実行して、ファクシミリ通信を制御する。ＣＰＵ２３は、ファクシミリ通信すべき画像データのモデム２２への出力、モデム２２から出力される画像データ（ＦＡＸデータ）の処理を行う。
【００１９】
メモリ２５は、ＣＰＵ２３によって作業用に使用される。このメモリ２５は、例えばＲＡＭ（Ｒａｎｄｏｍ  Ａｃｃｅｓｓ  Ｍｅｍｏｒｙ）である。
【００２０】
電源制御部２６は、ファクシミリ通信部２への電力を供給する電源、或いはその電源による電力供給を制御するデバイスである。ここでは、電源制御部２６は、ファクシミリ通信部２に電力を供給する電源と想定する。電源制御部２６に電力を供給する電源は例えばＰＳＵである。
【００２１】
電源制御部２６は、例えば一定時間、ファクシミリ通信、及びファクシミリ送信に係わる操作が行われなかった場合、ファクシミリ通信部２をファクシミリ通信が可能な通常状態から省エネルギー状態に移行させる。その省エネルギー状態とは、例えばファクシミリ通信部２への電力供給を停止した状態である。
【００２２】
電源制御部２６によるファクシミリ通信部２への電力供給は、画像処理部３、及び呼出検知部７によって制御される。画像処理部３は、ファクシミリ送信に係わる操作が行われた場合、電源制御部２６による電力供給を再開させ、ファクシミリ通信部２を省エネルギー状態から通常状態に移行（復帰）させる。このようなことから、電源制御部２６は、第１の状態遷移部に相当する。
【００２３】
呼出検知部７は、回線を送信される呼出信号を検知するデバイスである。呼出検知部７は、その呼出信号を検知した場合、その旨を電源制御部２６に通知する。その通知により、電力供給を停止させていた場合、電源制御部２６は電力供給を再開させる。
【００２４】
画像処理部３は、操作表示部４、プリンタ部５、及びスキャナ部６を制御する制御装置である。図１に示すように、ＣＰＵ３１、ＲＯＭ３２、ＲＡＭ３３、及び電源制御部３４を備えている。
【００２５】
操作表示部４は、例えばＬＣＤ（Ｌｉｑｕｉｄ  Ｃｒｙｓｔａｌ  Ｄｉｓｐｌａｙ）、及びタッチパネルを備えたモジュールである。画像処理部３は、ユーザの操作表示部４への操作を認識して、表示内容の更新、各種設定、或いは各種データ入力を行う。それにより、ユーザは、その操作表示部４への操作を通して、各種設定、各種データ入力、等を行うことができる。
【００２６】
プリンタ部（プリンタ機能）５は、例えば電子写真方式により、記録媒体上に画像形成を行う処理装置である。そのプリンタ部５は、画像処理部３の制御に従って動作する。
【００２７】
スキャナ部６は、媒体上の画像を読み取るための装置である。そのスキャナ部６が画像を読み取ることで出力する画像データは画像処理部３に入力され、必要に応じて画像処理が施される。画像処理部３は、画像データをプリンタ部５に出力することにより、その画像データを記録媒体上に出力させることができ、その画像データをファクシミリ通信部２に出力することにより、ファクシミリ送信させることができる。
【００２８】
画像処理部３は、ＣＰＵ３１がＲＯＭ３２に格納されている制御プログラムをＲＡＭ３３に読み出して実行することにより、操作表示部４、プリンタ部５、及びスキャナ部６に対する上記のような制御を行う。それにより、画像処理部３は、画像形成装置１をファクシミリ装置、画像読取装置、或いは複写装置等として動作させることができる。
【００２９】
電源制御部３４は、画像処理部３への電力を供給する電源、或いはその電源による電力供給を制御するデバイスである。ここでは、電源制御部２６と同様に、電源制御部３４は、画像処理部３に電力を供給する電源と想定する。電源制御部２６に電力を供給する電源は例えばＰＳＵである。
【００３０】
電源制御部３４は、例えば一定時間、操作表示部４への操作が行われず、且つファクシミリ受信もなかった場合、画像処理部３を各部２、４〜６の制御が可能な通常状態から省エネルギー状態に移行させる。その省エネルギー状態とは、例えば画像処理部３への電力供給を停止した状態である。
【００３１】
画像処理部３が省エネルギー状態に移行した場合、操作表示部４、プリンタ部５、及びスキャナ部６も省エネルギー状態に移行する。それにより、操作表示部４は、画面表示を終了させ、プリンタ部５は、記録媒体上のトナー像を定着させるための熱伝達媒体への熱量の供給を停止させる。
【００３２】
電源制御部３４による画像処理部３への電力供給は、操作表示部４、及びファクシミリ通信部２によって制御される。操作表示部４は、所定の操作が行われた場合、その旨を電源制御部３４に通知する。ファクシミリ通信部２（のＣＰＵ２３）は、ファクシミリ受信があった場合、その旨を電源制御部３４に通知する。それにより、電源制御部３４は、操作表示部４への所定の操作、或いはファクシミリ受信により、電力供給を再開する。その結果、画像処理部３は、省エネルギー状態から通常状態に移行する。このことから、ファクシミリ受信時には、ファクシミリ通信部２、及び電源制御部３４が第２の状態遷移部に相当する。
【００３３】
ファクシミリ受信により得られた画像データであるＦＡＸデータは、記録媒体上に出力させる必要がある。そのためには、プリンタ部５では、上記熱伝達媒体が所定温度以上となっていなければならない。しかし、熱伝達媒体の温度は、省エネルギー状態となっている期間が長いほど低くなっていることから、その温度を所定温度以上に上昇させるのに比較的に長い時間が必要となる場合も多い。そのため、プリンタ部５が記録媒体上に画像形成を行える通常状態に移行するまでに、呼出信号の受信からその応答を送信するまでの最大の許容時間（以降「制限時間」と表記）を超える時間を要することも多い。
【００３４】
複数の処理部を制御する制御装置（情報処理装置）では、負荷が重くなりやすく、その負荷が重くなるほど、制御装置に搭載されたＣＰＵの起動時間は長くなる傾向にある。画像処理部３でも、実行する制御内容、或いは処理内容によっては、ＣＰＵ３１の起動時間は比較的に長くなる。それにより、その起動時間が制限時間より長くなる可能性もある。
【００３５】
図１に示すような構成では、上記のように、呼出信号の受信からＦＡＸデータを記録媒体上に出力できるようになるまでの時間は、画像処理部３、或いはプリンタ部５に依存する。以降、説明上、便宜的に、画像処理部３が通常状態に移行するとは、ＦＡＸデータを記録媒体上に出力可能になる状態に移行することを指す意味で用いる。つまり、特に断らない場合、画像処理部３の通常状態への移行とは、画像処理部３、及びプリンタ部５が共に通常状態に移行したことを指す意味で用いる。このことからも、本実施形態による画像処理部は、画像処理部３、及びプリンタ部５を含む構成要素が相当する。
【００３６】
画像処理部３で省エネルギー状態が長く続いた場合、その画像処理部３が通常状態に復帰する前に、呼出信号の受信から制限時間が経過する可能性が高い。その制限時間が経過する前に応答を送信しない場合、ファクシミリ通信の送信側装置は回線を切断させることから、ＦＡＸデータを受信できなくなる。このことから、本実施形態では、画像処理部３が通常状態に復帰していなくとも、ファクシミリ通信部２にファクシミリ通信を開始させるようにしている。そのファクシミリ通信によりモデム２２から出力されるＦＡＸデータは、ＣＰＵ２３によりメモリ２５に保存させるようにしている。図１中、「ＦＡＸデータ」の近傍に示す矢印は、回線から送信されたＦＡＸデータの保存先までの流れを表している。
【００３７】
画像処理部３の通常状態への復帰を待つことなく、ファクシミリ通信を開始させることにより、ファクシミリ通信部２は、呼出信号の受信から制限時間が経過する前にその応答を送信することができる。ファクシミリ通信部２は、その応答後の送信側装置からのＦＡＸデータの送信にも対応することができる。このようなことから、例え画像形成装置１全体が省エネルギー状態に移行していたとしても、ファクシミリ通信を適切に行えることとなる。
【００３８】
図２は、ファクシミリ通信部、及び画像処理部が共に省エネルギー状態に移行していた状況時に、呼出信号の受信によるファクシミリ通信部、及び画像処理部の動作の流れを示すフローチャートである。ここで図２を参照し、その状況時におけるファクシミリ通信部２、及び画像処理部３の動作について詳細に説明する。
【００３９】
ファクシミリ通信では、送信側装置がファクシミリ番号を表す情報を選択信号として電話回線網２００に送信する。それにより、電話回線網（の電話交換機）２００は、画像形成装置１に対し、呼出信号を送信する（ＳＱ１）。
【００４０】
送信された呼出信号は、呼出検知部７によって検知され、呼出検知部７は、その旨を電源制御部２６に通知する（ＳＡ１、ＳＱ２）。その通知により、電源制御部２６は電力供給を再開することから、ファクシミリ通信部２は電源がオンとなり、ＣＰＵ２３が起動する（ＳＢ１）。
【００４１】
起動したＣＰＵ２３は、電源がオンされたイベントを電源制御部２６に問い合わせ、その問い合わせ結果に応じて処理を行うための呼出判定処理を実行する（ＳＢ２）。その問い合わせにより、呼出信号の検知により電源がオンされたことを確認した場合、電源制御９部３４にファクシミリ受信を通知し（ＳＢ２、ＳＱ３）、モデム２２に呼出信号の応答の送信を指示する（ＳＢ２）。この結果、ファクシミリ通信部２から呼出信号の応答が送信される（ＳＱ４）。ファクシミリ通信については、ＣＰＵ２３の起動後、それまでの不可の状態から可能な状態に移行する。
【００４２】
ファクシミリ受信の通知により、電源制御部３４は画像処理部３への電力供給を再開させる。それにより、画像処理部３は電源がオンとなり、ＣＰＵ３１は起動を開始する（ＳＣ１）。
【００４３】
呼出信号の応答の送信により、送信側装置との回線が確立する。それにより、ＣＮＧ信号、及びＣＥＤ信号の送受信を経て、ＦＡＸデータの送受信が開始される（ＳＱ５）。このことから、ファクシミリ通信部２は、ＦＡＸデータを受信するための受信処理を行う（ＳＢ３）。
【００４４】
図３は、呼出判定処理を示すフローチャートである。次に、上記ＳＢ２として実行される呼出判定処理について詳細に説明する。この呼出判定処理、及び後述する受信処理は、ＣＰＵ２３がＲＯＭ２４に格納されているファームウェア２４ａを実行することで実現される。
【００４５】
この呼出判定処理では、先ず、ＣＰＵ２３は、電力供給を再開させたイベントについて電源制御部２６に問い合わせ、そのイベントが呼出信号の検知か否か判定する（Ｓ３１）。電源制御部２６が呼出検知部７からの通知により電力供給を再開させていた場合、Ｓ３１の判定はＹＥＳとなってＳ３２に移行する。他のイベントにより電源制御部２６が電力供給を再開させていた場合、Ｓ３１の判定はＮＯとなり、ここで呼出判定処理が終了する。
【００４６】
Ｓ３２では、ＣＰＵ２３は、画像処理部３の電源をオンさせるために、電源制御部３４にファクシミリ受信を通知する。次に、ＣＰＵ２３は、モデム２２に指示して、呼出信号の応答を送信させる（Ｓ３３）。その後、この呼出判定処理が終了する。
【００４７】
このようにして、本実施形態では、起動させたファクシミリ通信部２に、呼出信号の応答の送信に加え、画像処理部３の電源をオンさせる。それにより、回線は確立し、ＦＡＸデータを記録媒体上に出力するうえでの画像処理部３側の準備が開始される。
【００４８】
図４は、受信処理を示すフローチャートである。次に図４を参照し、上記ＳＢ３として実行される受信処理について詳細に説明する。
【００４９】
この受信処理では、先ず、ＣＰＵ２３は、ＦＡＸデータの受信が完了したか否か判定する（Ｓ４１）。送信側装置がＦＡＸデータの送信終了を通知する信号（ＰＰＳ−ＥＯＰ）を送信した場合、Ｓ４１の判定はＹＥＳとなってＳ４７に移行する。送信側装置がその信号を送信していない場合、Ｓ４１の判定はＮＯとなってＳ４２に移行する。
【００５０】
Ｓ４２〜Ｓ４６では、送信側装置からページ単位で伝送されるＦＡＸデータに対応するための処理が行われる。
【００５１】
Ｓ４２では、ＣＰＵ２３は、ページ単位のＦＡＸデータの伝送が終了し、このページ単位で伝送されたＦＡＸデータにエラーが発生しているか否か判定する。ページを構成する複数のフレームの何れかにエラーが発生していた場合、Ｓ４２の判定はＹＥＳとなり、ＣＰＵ２３は送信側装置にエラー発生フレームの再送を要求し（Ｓ４３）、Ｓ４４に移行する。ページ単位のＦＡＸデータの伝送にエラーが発生していない場合、Ｓ４２の判定はＮＯとなり、そのＳ４４に移行する。
【００５２】
Ｓ４４では、ＣＰＵ２３は、画像処理部３の起動が完了、つまり画像処理部３が通常状態に復帰したか否か判定する。画像処理部３が通常状態に復帰した、或いは復帰している場合、Ｓ４４の判定はＹＥＳとなってＳ４５に移行する。画像処理部３が通常状態に復帰していない場合、Ｓ４４の判定はＮＯとなってＳ４６に移行する。
【００５３】
Ｓ４５では、ＣＰＵ２３は、受信したＦＡＸデータを画像処理部３に出力する。このとき、メモリ２５内に画像処理部３に出力していないＦＡＸデータが存在する場合、ＣＰＵ２３は、その未出力のＦＡＸデータを画像処理部３に出力する。それにより、ＣＰＵ２３は、送信側装置から受信した順序に従ってＦＡＸデータを画像処理部３に出力する。その後はＳ４１に戻る。
【００５４】
一方、Ｓ４６では、ＣＰＵ２３は、受信したＦＡＸデータをメモリ２５に保存する。そのようにして、少なくとも画像処理部３が起動するまでの間、受信されたＦＡＸデータはメモリ２５に保存される。ＦＡＸデータの保存を行った後は上記Ｓ４１に戻る。
【００５５】
そのＳ４１の判定がＹＥＳとなって移行するＳ４７では、ＣＰＵ２３は、ＦＡＸデータの受信が正常に終了したか否か判定する。ＦＡＸデータの受信が正常に終了した場合、Ｓ４７の判定はＹＥＳとなり、ＣＰＵ２３はＦＡＸデータを正常に受信した旨を通知する信号（ＰＰＳ−ＭＣＦ）を送信させる（Ｓ４８）。その後、この受信処理が終了する。
【００５６】
一方、ＦＡＸデータの受信が正常に終了しなかった場合、つまりＦＡＸデータの受信にエラーが発生していた場合、Ｓ４７の判定はＮＯとなってＳ４９に移行する。そのＳ４９では、ＣＰＵ２３は、発生したエラーを送信側装置に通知する。その後、この受信処理が終了する。
【００５７】
発生したエラー、或いは設定により、エラーが通知された送信側装置はＦＡＸデータの再送を行う。その場合、Ｓ４９からＳ４１に移行することになる。図４では、便宜的に、エラー通知を行った後に受信処理が終了するケースを想定している。
【００５８】
本実施形態では、ファクシミリ通信部２、及び画像処理部３はモジュール化され、呼出検知部７はそれらとは別に配置している。それにより、省エネルギー状態下では、ファクシミリ通信部２、及び画像処理部３ともに、電源制御部２６、３４以外の通電を停止させても良いようになっている。そのようにして、比較的に消費電力量の大きいＣＰＵ２３、３２への通電を停止させることにより、画像形成装置１全体の消費電力量はより抑制させることができる。
【００５９】
以降は、本実施形態の変形例について、図５〜図７を参照して詳細に説明する。ここでは、同じ、或いは基本的に同じ構成要素、及び処理については同一の符号を付すことにより、本実施形態から異なる部分にのみ着目する形で説明を行うこととする。
【００６０】
図５は、第１の変形例による画像形成装置のハードウェア構成例を説明する図である。この第１の変形例では、図５に示すように、呼出検知部７の前段にフィルタ回路５１が配置され、その呼出検知部７は、電源制御部２６に加えて、電源制御部３４に対し、呼出信号の検知を通知するようになっている。それにより、第１の変形例では、電源制御部３４が第２の状態遷移部に相当する。
【００６１】
呼出信号は、地域によって異なる信号である。例えば日本では、呼出信号は１６Ｈｚの断続信号である。フィルタ回路５１は、画像形成装置１が使用される地域で使用される呼出信号のみを通過させるようになっているフィルタ部である。このフィルタ回路５１を呼出検知部７の前段に配置することにより、呼出検知部７が呼出信号を検知する精度をより向上させることができる。それにより、呼出検知部７の呼出信号の誤検知によってファクシミリ通信部２を通常状態に復帰させるのを回避、或いは抑制することができる。
【００６２】
第１の変形例では、上記のように、呼出検知部７に呼出信号の検知を電源制御部３４に通知させるようにしている。これは、呼出検知部７の呼出信号を検知する精度が上記実施形態と比較して高いことが理由の一つとなっている。
【００６３】
図６は、ファクシミリ通信部、及び画像処理部が共に省エネルギー状態に移行していた状況時に、呼出信号の受信によるファクシミリ通信部、及び画像処理部の第１の変形例における動作の流れを示すフローチャートである。
【００６４】
上記実施形態では、図２に示すように、ＳＢ２の呼出判定処理をファクシミリ通信部２のＣＰＵ２３が実行し、電源制御部３４に画像処理部３への電力供給を再開させるようになっている。これに対し、呼出検知部７にその再開を行わせるようにした場合、図６に示すように、画像処理部３はファクシミリ通信部２と同時、或いは略同じに電力の供給が開始するようになり、呼出信号の受信から画像処理部３が通常状態に復帰するまでの時間が短縮される。このことから、受信したＦＡＸデータの記録媒体上への出力もより迅速に行えるようになる。
【００６５】
図７は、第２の変形例による画像形成装置のハードウェア構成例を説明する図である。この第２の変形例では、図７に示すように、画像処理部３に外部記憶装置８０がネットワーク等を介して接続されている。この外部記憶装置８０は、不揮発性の記憶装置であり、例えばメモリ２５と共に、或いはメモリ２５の代わりに、ＦＡＸデータの保存に用いられる。ＦＡＸデータの保存に外部記憶装置８０を用いることにより、ＦＡＸデータの喪失はより確実に防止することができ、メモリ２５の容量も抑制させることができる。
【００６６】
なお、ＦＡＸデータの喪失を防止するために、メモリ２５として、不揮発性の記憶装置、例えばフラッシュメモリ、或いはＰＲＯＭ（Ｐｒｏｇｒａｍｍａｂｌｅ  ＲＯＭ）等を採用しても良い。
【００６７】
画像形成装置１の各部２〜７に電力を供給する電源はＰＳＵ（Ｐｏｗｅｒ  Ｓｕｐｐｌｙ  Ｕｎｉｔ）７２であり、電源制御部２６、及び３４は、それぞれ、ＰＳＵ７２からの電力供給を管理する電源として機能する。そのＰＳＵ７２は、商用電源を用いて必要な電力を供給する電力供給装置である。第２の変形例では、ファクシミリ通信部２に電力供給が可能な電源としてバッテリー７１を備え、そのバッテリー７１、及びＰＳＵ７２のうちの一方からの電力を電源切替部７３により電源制御部２６に供給するようになっている。
【００６８】
電源切替部７３は、例えばＰＳＵ７２、或いはそのＰＳＵ７２に電力を供給する商用電源の状態を監視することにより、ＰＳＵ７２からの電力供給が期待できない状況となった場合に、バッテリー７１からの電力を電源制御部２６に供給する。それにより、ファクシミリ通信時にＰＳＵ７２からの電力供給が停止したとしても、そのファクシミリ通信をファクシミリ通信部２は継続することができ、ＦＡＸデータの喪失も回避される。
【００６９】
なお、本実施形態では、ファクシミリ通信部２、及び画像処理部３の省エネルギー状態は１つの状態のみとなっているが、その省エネルギー状態は複数の状態が可能であっても良い。
【００７０】
また、画像形成装置１の構成については、図１に示す例に限定されない。つまり、画像形成装置１は、図１に示していない構成要素（機能）が搭載されたものであっても良い。ファクシミリ通信部２、及び画像処理部３の構成についても、図１に示す例に限定されない。
【符号の説明】
【００７１】
１    画像形成装置
２    ファクシミリ通信部
３    画像処理部
４    操作表示部
５    プリンタ部
６    スキャナ部
７    呼出検知部
２１    ＳｉＤＡＡ
２２    モデム
２３、３１    ＣＰＵ
２４、３２    ＲＯＭ
２４ａ  ファームウェア
２５    メモリ
２６、３４    電源制御部
５１    フィルタ回路
７１    バッテリー
７２    ＰＳＵ
７３    電源切替部
８０    外部記憶装置
【先行技術文献】
【特許文献】
【００７２】
【特許文献１】特開２０１２−１０９７６４号公報
【図１】
2017169056.tif 000003
【図２】
2017169056.tif 000004
【図３】
2017169056.tif 000005
【図４】
2017169056.tif 000006
【図５】
2017169056.tif 000007
【図６】
2017169056.tif 000008
【図７】
2017169056.tif 000009